(57)【要約】【課題】板の材質や厚み如何によらずに、底面板および折り畳まれている第１の側面板に対し、第１の側面板およびコーナー板紙を折り重ねることができ、これにより、コーナー貼りを廃止またはコーナー貼りの数を抑制しながら、簡単に組み立て可能な収容箱を提供する。【解決手段】板紙ブランク２は、矩形状の底面板紙１１と、前面板紙１２と、左右一対の端面板紙１３と、後面板紙１４と、コーナー板紙１７とを備えている。コーナー板紙１７は、板紙１２，１４と端面板紙１３との双方に連なり、２つに折り畳み可能に設けられている。各コーナー板紙１７には、折り線として用いない直線状のコーナー罫線４１が設けられている。各コーナー罫線４１は、コーナー板紙１７の第１の半部１７ａに設けられた横コーナー罫線４３と、コーナー板紙１７の第２の半部１７ｂに設けられた縦コーナー罫線４２とを含む。【選択図】図３
2020083332.tif 000002
【特許請求の範囲】
【請求項１】
所定の形状の板ブランクを折り曲げられて折り畳み状態に形成され、その折り畳み状態から手で箱状に組み立て可能な収容箱であって、
矩形状の底面板と、
前記底面板の第１の側辺に、第１の折り線を介して連なる第１の側面板と、
前記底面板における前記第１の側辺に隣り合う第２の側辺に、第２の折り線を介して連なる第２の側面板と、
前記第１の側面板と前記第２の側面板との双方に連なり２つに折り畳み可能に設けられたコーナー板と、
前記コーナー板に設けられ、折り線として用いない罫線であって、前記第１の折り線に平行な方向または当該第１の折り線に対して鋭角をなす方向に延び、かつ前記第２の折り線に平行な方向または当該第２の折り線に対して鋭角をなす方向に延びるコーナー罫線とを含み、
前記第１の側面板が前記底面板に折り重なるように前記第１の側面板および前記コーナー板が前記第１の折り線に沿って折り畳まれ、かつ折り畳まれている前記第１の側面板に前記コーナー板および前記第２の側面板が折り重なるように前記コーナー板および前記第２の側面板が前記第２の折り線に沿って折り畳まれた状態である折り畳み状態から、前記第１の側面板を起立させることにより前記収容箱に角部が形成される、収容箱。
【請求項２】
前記コーナー罫線が、前記第１の折り線に平行な方向または当該第１の折り線に対して鋭角をなす方向に延びる第１のコーナー罫線と、前記第１の折り線に平行な方向または当該第１の折り線に対して鋭角をなす方向に延びる第２のコーナー罫線とを含む、請求項１に記載の収容箱。
【請求項３】
前記コーナー板が、前記第１の側面板に連なる第１の半部と、前記第２の側面板に連なり、かつ第３の折り線を介して前記第１の半部に連なる第２の半部とを含み、
前記第１のコーナー罫線が、前記第２の半部に設けられており、
前記第２のコーナー罫線が、前記第１の半部に設けられている、請求項２に記載の収容箱。
【請求項４】
前記第１のコーナー罫線および前記第２のコーナー罫線の少なくとも一方が、互いに間隔を空けて複数設けられている、請求項２または３に記載の収容箱。
【請求項５】
前記第１の側面板に設けられ、折り線として用いない罫線であって、前記第１の折り線に平行な方向または当該第１の折り線に対して鋭角をなす方向に延び、かつ前記第２の折り線に平行な方向または当該第２の折り線に対して鋭角をなす方向に延びる側面罫線をさらに含む、請求項１〜４のいずれか一項に記載の収容箱。
【発明の詳細な説明】
【技術分野】
【０００１】
この発明は収容箱に関する。
【背景技術】
【０００２】
所定の形状の板ブランクを折り曲げられて折り畳み状態に形成され、その折り畳み状態から手で箱状に組み立て可能な包装用箱が知られている。このような包装用箱として、コーナー貼りを有する包装用箱（たとえば特許文献１参照）が知られている。
たとえば特許文献１に係る包装用箱では、箱裏板の４辺のうち３辺に、２つの箱側板および箱端板が周方向に、箱側板、箱端板および箱側板の順で連なっている。２つの箱側板の端部を斜折り線に沿って折り畳み、各箱端板に連なるコーナー片に貼り付けることにより（コーナー貼りにすることにより）、折り畳み状態の包装用箱が形成される。このような折り畳み状態（特許文献１の図２に示す状態）から、手で２つの箱側板を引き起こす（起立させる）ことにより角部（直角部）を形成することができ、これにより、箱状に組み立てることができる。
【先行技術文献】
【特許文献】
【０００３】
【特許文献１】特開２００８−１３２３０号公報
【発明の概要】
【発明が解決しようとする課題】
【０００４】
特許文献１のようなコーナー貼りを有する包装用箱では、コーナー片を設けるための切断加工や、２つの箱側板の端部を、対応するコーナー片に貼り付けるための糊付け加工が必要である。このような切断加工や糊付け加工を行うために、包装用箱の作成が煩雑になるという問題がある。
本願発明者は、コーナー貼りを廃止またはコーナー貼りの数を抑制しながら、簡単に組み立て可能な包装用箱を提供することを検討している。本願発明者は、包装用箱に、側面板（箱側板。第１の側面板および第２の側面板）と底面板（箱裏板）との双方に連なるコーナー板を設けることを検討している。そして、第１の側面板およびコーナー板を底面板に対して折り畳んだ後に、第２の側面板およびコーナー板紙を、底面板および折り畳まれている第１の側面板に対して折り重ねる（２回折り）ことにより、折り畳み状態の包装用箱を設けることを、本願発明者は検討している。そして、折り畳み状態から第１の側面板および第２の側面板を引き起こすことにより、簡単に箱状に組み立てることができる。
【０００５】
しかしながら、第１の側面板およびコーナー板を底面板に対して折り畳んだ際に、コーナー板紙や第１の側面板（とくにコーナー板紙）に歪が発生し、コーナー板紙や第１の側面板（とくにコーナー板紙）に膨らみが発生するおそれがある。そして、第２の側面板およびコーナー板紙を、底面板および折り畳まれている第１の側面板に対して折り重ねた際にも、コーナー板紙や第１の側面板（とくにコーナー板紙）に歪が発生し、コーナー板紙や第１の側面板（とくにコーナー板紙）に膨らみが発生するおそれがある。
【０００６】
このような膨らみの発生のため、板（紙板）の材質や厚み如何によっては、このような２回以上の折り畳みを実現できないおそれがある。
このような課題は、包装用箱だけでなく、収容箱全体に共通する課題である。
そこで、この発明の一つの目的は、板の材質や厚み如何によらずに、底面板および折り畳まれている第１の側面板に対し、第１の側面板およびコーナー板紙を折り重ねることができ、これにより、コーナー貼りを廃止またはコーナー貼りの数を抑制しながら、簡単に組み立て可能な収容箱を提供することである。
【課題を解決するための手段】
【０００７】
前記の目的を達成するための請求項１に記載の発明は、所定の形状の板ブランクを折り曲げられて折り畳み状態に形成され、その折り畳み状態から手で箱状に組み立て可能な収容箱であって、矩形状の底面板と、前記底面板の第１の側辺に、第１の折り線を介して連なる第１の側面板と、前記底面板における前記第１の側辺に隣り合う第２の側辺に、第２の折り線を介して連なる第２の側面板と、前記第１の側面板と前記第２の側面板との双方に連なり２つに折り畳み可能に設けられたコーナー板と、前記コーナー板に設けられ、折り線として用いない罫線であって、前記第１の折り線に平行な方向または当該第１の折り線に対して鋭角をなす方向に延び、かつ前記第２の折り線に平行な方向または当該第２の折り線に対して鋭角をなす方向に延びるコーナー罫線とを含み、前記第１の側面板が前記底面板に折り重なるように、前記第１の側面板および前記コーナー板が前記第１の折り線に沿って折り畳まれ、折り畳まれている前記第１の側面板に前記コーナー板および前記第２の側面板が折り重なるように、前記コーナー板および前記第２の側面板が前記第２の折り線に沿って折り畳まれた折り畳み状態から、前記第１の側面板が起立することにより箱状に組み立てられる、収容箱を提供する。
【０００８】
請求項２に記載の発明は、前記コーナー罫線が、前記第１の折り線に平行な方向または当該第１の折り線に対して鋭角をなす方向に延びる第１のコーナー罫線と、前記第１の折り線に平行な方向または当該第１の折り線に対して鋭角をなす方向に延びる第２のコーナー罫線とを含む、請求項１に記載の収容箱である。
請求項３に記載の発明は、前記コーナー板が、前記第１の側面板に連なる第１の半部と、前記第２の側面板に連なり、かつ第３の折り線を介して前記第１の半部に連なる第２の半部とを含み、前記第１のコーナー罫線が、前記第２の半部に設けられており、前記第２のコーナー罫線が、前記第１の半部に設けられている、請求項２に記載の収容箱である。
【０００９】
請求項４に記載の発明は、前記第１のコーナー罫線および前記第２のコーナー罫線の少なくとも一方が、互いに間隔を空けて複数設けられている、請求項２または３に記載の収容箱である。
請求項５に記載の発明は、前記第１の側面板に設けられ、折り線として用いない罫線であって、前記第１の折り線に平行な方向または当該第１の折り線に対して鋭角をなす方向に延び、かつ前記第２の折り線に平行な方向または当該第２の折り線に対して鋭角をなす方向に延びる側面罫線をさらに含む、請求項１〜４のいずれか一項に記載の収容箱である。
【発明の効果】
【００１０】
この発明によれば、コーナー板に、折り線として用いないコーナー罫線が設けられている。このコーナー罫線は、第１の折り線に平行な方向または当該第１の折り線に対して鋭角をなす方向に延び、かつ第２の折り線に平行な方向または当該第２の折り線に対して鋭角をなす方向に延びている。そのため、第１の側面板およびコーナー板を底面板に対して折り畳んだ際にコーナー板に生じる歪を、コーナー罫線が吸収する。そのため、第１の側面板およびコーナー板を底面板に対して折り畳んだ状態で、コーナー板に膨らみ（変形）が発生することを抑制または防止できる。また、第２の側面板およびコーナー板を第１の側面板に折り重ねた際にコーナー板に生じる歪を、コーナー罫線が吸収する。そのため、第２の側面板およびコーナー板を第１の側面板に折り重ねた状態で、コーナー板に膨らみ（変形）が発生することを抑制または防止できる。これにより、板の材質や厚み如何によらずに、２回以上折り畳まれた折り畳み状態の収容箱を好適に設けることができる。
【００１１】
そして、この折り畳み状態から、第１の側面板が起立することにより角部が設けられ、これにより、収容箱が箱状に組み立てられる。これにより、コーナー貼りを廃止またはコーナー貼りの数を抑制しながら、箱状に簡単に組み立てることが可能である。
【図面の簡単な説明】
【００１２】
【図１】図１は、この発明の一実施形態に係る収容箱（封緘状態の収容箱）の斜視図である。
【図２】図２は、前記収容箱の展開図である。
【図３】図３は、前記収容箱の要部の拡大展開図である。
【図４】図４は、前記収容箱の組み立てを説明するための平面図である。
【図５】図５は、図４の次の工程の後の状態を示す平面図である。
【図６】図６は、図５の次の工程の後の状態を示す平面図である。
【図７】図７は、図６の次の工程の後の状態（折り畳み状態）を示す平面図である。
【図８】図８は、折り畳み状態からの前記収容箱の組み立てを説明するための斜視図である。
【図９】図９は、図８の次の工程の後の状態を示す斜視図である。
【図１０】図１０は、図９の次の工程の後の状態を示す斜視図である。
【図１１】図１１は、図１０の次の工程の後の状態を示す斜視図である。
【図１２】図１２は、図１１の次の工程の後の状態（組み立て状態）を示す斜視図である。
【図１３】図１３は、平板状態を示す斜視図である。
【発明を実施するための形態】
【００１３】
以下には、図面を参照して、この発明の実施形態について具体的に説明をする。
図１は、この発明の一実施形態に係る包装用箱（収容箱）１の斜視図である。
包装用箱１は、ショートケーキやシュークリームに代表される洋菓子等の食品等を包装するための箱である。包装用箱１は、たとえば、洋菓子店等の小売店において、洋菓子等の食品を包装して顧客に提供するために用いられる。包装用箱１は、たとえば、蓋付きの箱である。
【００１４】
包装用箱１は、上面が開放した有底箱状の本体部３と、本体部３の上部開口３ｃ（開口。１２参照）を閉塞する蓋体４とを含む。本実施形態では、図１に示すように、蓋体４の開く側を前方とし、蓋体４のヒンジ側を後方としている。包装用箱１は、板紙ブランク（板ブランク）２を折り曲げて形成される。本体部３は、底部の４隅に、前側の２つの直角部３ａと、後側の２つの直角部３ｂとを有する。蓋体４は、前側の２つの角部４ａを有している。
【００１５】
包装用箱１は、折り畳み状態（図７参照）で小売店に納入される。小売店の店員が、折り畳み状態の包装用箱１を、組み立て状態（図１２参照）に組み立てる。店員は、組み立て状態の包装用箱１に、洋菓子等の食品を上部開口３ｃから収容した後、上部開口３ｃを蓋体４によって閉塞する。そして、係合舌片３３を挿し込み口１６に挿し込むことにより、包装用箱１が封緘される（封緘状態）。図１では、封緘状態の包装用箱１を示している。
【００１６】
図２は、包装用箱１の展開図（すなわち、包装用箱１として組み立てられる前の板紙ブランク２の平面図）である。図３は、包装用箱１の要部の拡大展開図である。図２および図３についての説明では、図２および図３の上下左右を、包装用箱１の上下左右として説明する。
板紙ブランク２は、平板状の紙板を所定の形状に打ち抜くと共に、所定位置に罫線（折り線用の罫線および歪吸収用の罫線）を付すことにより形成される。板紙ブランク２は、左右対称である。図２および図３においては、谷折り線を破線で示し、山折り線を二点鎖線で示す（図１〜図７も同様である）。
【００１７】
図１および図２に示すように、図２に図示している面の大半が、組み立て後の包装用箱１において内面になり、反対側の面が外面になる。換言すると、組み立て後の包装用箱１における内面の全てが、図２に図示している面になる。
図２に示すように、板紙ブランク２は、包装用箱１の底面１ａ（図１を併せて参照）を形成する矩形状（長方形状）の底面板紙（底面板）１１と、底面板紙１１を取り囲む４つの矩形状（長方形状）の側面板紙とを備えている。
【００１８】
４つの矩形状の側面板紙は、前面板紙（第２の側面板）１２と、左右一対の端面板紙（第１の側面板）１３と、後面板紙（第２の側面板）１４とを含む。前面板紙１２は、包装用箱１の前面１ｂ（図１２を併せて参照）を形成する。
前面板紙１２は、底面板紙１１の長辺である前側辺（第２の側辺）１１ａに沿って設けられた折り線Ｌ１（第２の折り線）を介して連なっている。前面板紙１２には、切り込み１５によって挿し込み口１６が形成されている。
【００１９】
一対の端面板紙１３は、それぞれ、包装用箱１の左面１ｃ（図１２を併せて参照）および右面１ｄ（図１２を併せて参照）を形成する。底面板紙１１の短辺である左側辺（第１の側辺）１１ｂおよび右側辺（第１の側辺）１１ｃには、それぞれ、当該側辺に沿って折り線Ｌ２（第１の折り線）および折り線Ｌ３（第１の折り線）が設けられている。一対の端面板紙１３は、折り線Ｌ２および折り線Ｌ３を介して底面板紙１１に連なっている。
【００２０】
後面板紙１４は、包装用箱１の後面１ｅ（図１を併せて参照）を形成する。後面板紙１４は、底面板紙１１の長辺である後側辺（第２の側辺）１１ｄに沿って設けられた折り線Ｌ４（第２の折り線）を介して連なっている。
板紙ブランク２は、前面板紙１２の左方および右方のそれぞれにコーナー板紙１７を備えている。板紙ブランク２は、また、後面板紙１４の左方および右方のそれぞれにコーナー板紙１７を備えている。これら合計４つのコーナー板紙１７は、底面板紙１１の重心を中心として点対称をなしている。
【００２１】
具体的には、図２の左前のコーナー板紙１７は、折り線Ｌ５を介して左側の端面板紙１３に連なっていると共に、折り線Ｌ６を介して前面板紙１２に連なっている。図３に示すように、折り線Ｌ５は折り線Ｌ１よりもやや前記重心側（図３の上方）に寄っており、折り線Ｌ９は折り線Ｌ４よりもやや前記重心側（図３の下方）に寄っている。
同様に、図２の右前のコーナー板紙１７は、折り線Ｌ５を介して右側の端面板紙１３に連なっていると共に、折り線Ｌ６を介して前面板紙１２に連なっている。図２の左後のコーナー板紙１７は、折り線Ｌ９を介して左側の端面板紙１３に連なっていると共に、折り線Ｌ１０を介して後面板紙１４に連なっている。図２の右後のコーナー板紙１７は、折り線Ｌ９を介して右側の端面板紙１３に連なっていると共に、折り線Ｌ１０を介して後面板紙１４に連なっている。
【００２２】
図３に示すように、各コーナー板紙１７は、この実施形態では、Ｌ字状をなしている。各コーナー板紙１７は、折り線Ｌ５，Ｌ９に連なる略三角形状の第１の半部１７ａと、折り線Ｌ６，Ｌ１０に連なる略三角形状の第２の半部１７ｂと含む。各コーナー板紙１７において、第１の半部１７ａと第２の半部１７ｂとの境界には、罫線からなる折り線Ｌ１３（第３の折り線）が設けられている。折り線Ｌ１３は、互いに直交する、折り線Ｌ５，Ｌ９と、折り線Ｌ６，Ｌ１０との各交点Ｐ１を起点として、これら折り線Ｌ５，Ｌ９と折り線Ｌ６，Ｌ１０とがなす角度（図２の例では９０°）を２等分するように端点１７ｃまで延びている。そのため、各コーナー板紙１７を、折り線Ｌ１３に沿って２つに折り畳むことができる。この実施形態では、各折り線Ｌ１３において、交点Ｐ１側の所定部分（折り線Ｌ１３のたとえば約１／４の部分）に、直線状の切り込み１８が形成されている。この切り込み１８が省略されていてもよい。コーナー板紙１７が、Ｌ字状ではなく、矩形状（正方形状）をなしていてもよい。
【００２３】
図３に示すように、各第１の半部１７ａは、対応する折り線Ｌ５，Ｌ９に連続しかつ当該折り線Ｌ５，Ｌ９に直交する直線状の側辺１７ａａを有している。
各第２の半部１７ｂは、対応する折り線Ｌ６，Ｌ１０に連続しかつ当該折り線Ｌ６，Ｌ１０に直交する直線状の側辺１７ｂａを有している。各側辺１７ｂａには、係合突部１９が形成されている。
【００２４】
図２に示すように、各端面板紙１３において、底面板紙１１と反対側の側辺１３ａには、折り線Ｌ１４（第４の折り線）を介して第１の横フラップ（横フラップ）２０が連なっている。各第１の横フラップ２０には、折り線Ｌ１４付近において、上下一対の切り込み２３が形成されている。各切り欠き２３によって、舌片２１（図３参照）が設けられている。各舌片２１は、切り込み２３によって形成されている。切り込み２３はＥ字状である。各切り込み２３は、コ字状の外部分２３ａ（図３参照）と、外部分２３ａの図３の上下の中央位置から左右方向に沿って直線状に延びる中央部分２３ｂとを含む。切り込み２３がＥ字状であるため、各舌片２１は、上下方向に２分割された２つの分割舌片２１ａ（図３参照）を有している。
【００２５】
図２に示すように、前面板紙１２において、底面板紙１１と反対側の側辺１２ａには、折り線Ｌ２０を介して前フラップ２４が連なっている。
この実施形態では、底面板紙１１と、前面板紙１２と、左右一対の端面板紙１３と、後面板紙１４等によって、包装用箱１の本体部３（図１、図１２等参照）が構成される。
板紙ブランク２は、さらに、包装用箱１の天面１ｆ（図１を併せて参照）を形成する矩形状の天面板紙２６と、左右一対の第２の横フラップ２７と、先端フラップ２８と、左右一対の第３の横フラップ２９とを含む。天面板紙２６と、２つの第２の横フラップ２７と、先端フラップ２８と、２つの左右一対の第３の横フラップ２９とによって、包装用箱１の蓋体４（図１参照）が構成されている。板紙ブランク２の展開図は、図２に示すように、左右対称である。
【００２６】
天面板紙２６は、矩形状をなしている。天面板紙２６は、後面板紙１４の上辺１４ａに折り線Ｌ１５（第５の折り線）を介して上方に連なっている。
各第２の横フラップ２７は、天面板紙２６の左辺および右辺から、それぞれ、折り線Ｌ１６を介して左方または右方に連なっている。各第２の横フラップ２７の内面には、上端部に矩形の糊付け部３０が設けられている。
【００２７】
先端フラップ２８は、幅の狭い横長の矩形状をなしている。先端フラップ２８は、天面板紙２６の上辺に折り線Ｌ１７を介して上方に連なっている。先端フラップ２８の上辺には、係合舌片３３が設けられている。係合舌片３３は、先端フラップ２８の上辺に２つの切り欠き３４を設けることにより形成されている。先端フラップ２８の左辺および右辺のそれぞれには、第３の横フラップ２９が折り線Ｌ１８を介して左方または右方に連なっている。先端フラップ２８の左右端部には、それぞれ折り線Ｌ１９が設けられている。各折り線Ｌ１９は、互いに直交する、折り線Ｌ１７と折り線Ｌ１８との交点Ｐ２を起点として、折り線Ｌ１７と折り線Ｌ１８とがなす角度（この実施形態では、９０°）を２等分するように、先端フラップ２８の上辺まで延びている。そのため、先端フラップ２８の左右の各端部を、折り線Ｌ１９に沿って２つに折り曲げることができる。
【００２８】
各折り線Ｌ１〜Ｌ１９は、外面側から押された罫線によって形成されている。
底面板紙１１、前面板紙１２、左右一対の端面板紙１３、後面板紙１４、４つのコーナー板紙１７、前フラップ２４、６つの横フラップ２０，２７，２９、天面板紙２６、先端フラップ２８等を構成する板紙は、紙器用板紙である。この実施形態では、板紙は、係合舌片３３と挿し込み口１６との弾性係合や、係合突部１９と舌片２１との弾性係合、包装用箱１としての強度の兼ね合いから、坪量が２７０ｇ／ｍ２以上４００ｇ／ｍ２以下のコート紙であることがより好ましい。
【００２９】
板紙１３，１７および第１の横フラップ２０には、歪吸収用の罫線が設けられている。歪吸収用の罫線は、罫線であるが折り線として用いない。図３を参照しながら、歪吸収用の罫線について説明する。
歪吸収用の罫線は、各コーナー板紙１７に設けられたコーナー罫線４１と、各端面板紙１３に設けられた側面罫線４６とを含む。各コーナー罫線４１は、折り線Ｌ２，Ｌ３（第１の折り線）に平行に延びる直線状の縦コーナー罫線（第１のコーナー罫線）４２と、折り線Ｌ１，Ｌ４（第２の折り線）に平行に延びる直線状の横コーナー罫線（第２のコーナー罫線）４３とを含む。縦コーナー罫線（第１のコーナー罫線）４２は、第２の半部１７ｂに設けられている。横コーナー罫線（第２のコーナー罫線）４３は、第１の半部１７ａに設けられている。縦コーナー罫線４２は１本であり、横コーナー罫線４３は、互いに間隔を隔てて設けられた複数本（図３の例では２本）である。
【００３０】
縦コーナー罫線４２は、折り線Ｌ６，Ｌ１０との交点Ｐ５と、第２の半部１７ｂの上端または下端とを結ぶ。各横コーナー罫線４３は、折り線Ｌ５，Ｌ９との交点Ｐ３，Ｐ４と、第１の半部１７ａの側辺１７ａａまたは第２の半部１７ｂの側辺１７ｂａとを結ぶ。
交点Ｐ３は、交点Ｐ５と一致している。
側面罫線４６は、側面罫線４６は、折り線Ｌ１，Ｌ４（第２の折り線）に平行に延びる、直線状の第１の側面罫線４７と、折り線Ｌ２，Ｌ３（第１の折り線）に対して鋭角（約４５°）をなす方向に延びる第２の側面罫線４８と、折り線Ｌ２，Ｌ３（第１の折り線）に対して鋭角（約４５°）をなす方向に延びる第３の側面罫線４９とを含む。
【００３１】
第１の側面罫線４７は、端面板紙１３の前後方向の中央部（図３に示す上下方向の中央部）に設けられている。第１の側面罫線４７は、端面板紙１３と第１の横フラップ２０とに跨って設けられている。第１の側面罫線４７は、折り線Ｌ２，Ｌ３と、第１の横フラップ２０の左側辺または右側辺とを結ぶ。
第２の側面罫線４８は、第１の側面罫線４７と交点Ｐ１とを結ぶ。第３の側面罫線４９は、第１の側面罫線４７と交点Ｐ１とを結ぶ。第３の側面罫線４９は、第２の側面罫線４８と、第１の側面罫線４７に対して左右対称に設けられている。
【００３２】
歪吸収用の罫線（コーナー罫線４１と、側面罫線４６）は、外面側から押されることにより形成された罫線である。各歪吸収用の罫線（コーナー罫線４１と、側面罫線４６）は、互いに共通する線幅および深さを有している。歪吸収用の罫線の線幅および深さは、折り線Ｌ１〜Ｌ２０と共通していてもよい。
図４〜図７は、包装用箱１の組み立てを説明するための平面図である。図２〜図７を参照して、板紙ブランク２から折り畳み状態の包装用箱１に至るまでの工程を説明する。
【００３３】
図２および図３に示す展開図の状態から、先端フラップ２８の左右の端部および左右の第３の横フラップ２９を、対応する折り線Ｌ１９に沿って図２の手前側に折り畳み、第３の横フラップ２９を天面板紙２６に折り重ねる。また、左右の第２の横フラップ２７を、折り線Ｌ１６に沿って図２の手前側に折り畳み、折り畳まれている第２の横フラップ２７に第３の横フラップ２９を折り重ねる。そして、折り畳んだ第２の横フラップ２７の糊付け部３０を、対応する第３の横フラップ２９の外面に糊付けにより貼り付ける（コーナー貼り）。これにより、図４に示す状態になる。
【００３４】
また、端面板紙１３、コーナー板紙１７および第１の横フラップ２０を、折り線Ｌ２，Ｌ６，Ｌ１０に沿って内側に折り畳む。これにより、図５に示すように、端面板紙１３および第１の横フラップ２０を底面板紙１１に折り重ねると共に、コーナー板紙１７を、前面板紙１２または後面板紙１４に折り重ねる。これにより、図５に示す状態になる。
端面板紙１３およびコーナー板紙１７を内側に折り畳んだ際に、コーナー板紙１７および端面板紙１３に歪が生じる。しかし、コーナー板紙１７に生じた歪は、縦コーナー罫線４２によって吸収される。また、端面板紙１３に生じた歪は、第２および第３の側面罫線４８，４９によって吸収される。そのため、端面板紙１３およびコーナー板紙１７を底面板紙１１に対して折り畳んだ状態において、端面板紙１３およびコーナー板紙１７における膨らみの発生を抑制または防止できる。
【００３５】
次いで、前面板紙１２および折り畳まれているコーナー板紙１７を、折り線Ｌ１，Ｌ５，Ｌ９に沿って内側に折り畳む。これにより、図６に示すように、折り畳まれているコーナー板紙１７が、折り畳まれている端面板紙１３に折り重ねられる。
前面板紙１２およびコーナー板紙１７を端面板紙１３に折り重ねた際に、コーナー板紙１７および端面板紙１３に歪が生じる。しかし、コーナー板紙１７に生じた歪は、横コーナー罫線４３によって吸収される。また、端面板紙１３に生じた歪は、第１、第２および第３の側面罫線４７，４８，４９によって吸収される（主として、第１の側面罫線４７によって吸収される）。そのため、前面板紙１２およびコーナー板紙１７を端面板紙１３に折り重ねた状態において、端面板紙１３およびコーナー板紙１７における膨らみの発生を抑制または防止できる。
【００３６】
次いで、図６に示す状態から、底面板紙１１、前面板紙１２、および折り畳まれている端面板紙１３を、さらに内側に折り畳む。これにより、底面板紙１１、前面板紙１２、および端面板紙１３が、後面板紙１４に折り重ねられ、図７に示す状態になる。この場合にも、コーナー板紙１７および端面板紙１３に歪が生じる。しかし、コーナー板紙１７に生じた歪は、横コーナー罫線４３によって吸収される。また、端面板紙１３に生じた歪は、第１、第２および第３の側面罫線４７，４８，４９によって吸収される（主として、第１の側面罫線４７によって吸収される）。そのため、底面板紙１１、前面板紙１２および端面板紙１３を、後面板紙１４に折り重ねた状態において、端面板紙１３およびコーナー板紙１７における膨らみの発生を抑制または防止できる。
【００３７】
図２〜図７に示す工程は、製函機を用いて実行される。図７に示す状態で包装用箱１が出荷され、洋菓子店等の小売店に納品される。
図８〜図１２は、包装用箱１の組み立てを説明するための斜視図である。図８〜図１１に示す工程は、小売店の店員が手作業で行う。図６〜図１１を参照して、図７に示す状態から組み立て状態の包装用箱１に至るまでの工程を説明する。
【００３８】
店員は、図７に示す状態から、手作業で、底面板紙１１および前面板紙１２を手前に開き、図６に示す状態に手作業で戻す。そして、店員は、図６に示す状態から、折り畳まれている前面板紙１２を手前に引き起こす。この状態から、コーナー板紙１７を折り線Ｌ１３に沿って内向きに（第１の半部１７ａおよび第２の半部１７ｂの内面同士が対向するように）折り曲げながら、端面板紙１３をやや引き起こすと、図８に示すような状態になる。
【００３９】
図８に示す状態から、コーナー板紙１７を折り畳みながら、端面板紙１３を引き起こすことにより、図９に示すように、直角部３ａが形成される。この状態では、三角形状に折り畳まれたコーナー板紙１７が、図９に示すように、起立状態にある端面板紙１３に外面に折り重ねられている。この状態において、係合突部１９が、第１の横フラップ２０（端面板紙１３の上辺）に形成された切り込み２３の外側に対向している。
【００４０】
この状態で、店員は、折り畳んだコーナー板紙１７に形成された係合突部１９を、切り込み２３に外側から内側に向けて挿し込む。これにより、切り込み２３により形成される舌片２１（２つの分割舌片２１ａ）を係合突部１９が乗り越え、図１０に示すように、係合突部１９が舌片２１と係合する。そして、それ以降、係合突部１９と舌片２１（２つの分割舌片２１ａ）との係合が維持される。このように、係合突部１９を切り込み２３に外側から挿し込んで、係合突部１９を切り込み２３および切り込み２３によって形成された舌片２１（２つの分割舌片２１ａ）に係合させることにより、包装用箱１に直角部３ａが設けられた状態を良好に維持することができる。
【００４１】
また、２つの分割舌片２１ａによって舌片２１が構成されている。２つの分割舌片２１ａの各々が係合突部１９と係合するので、舌片２１が１つの舌片で構成される場合と比較して、舌片２１（２つの分割舌片２１ａ）と係合突部１９との係合を解除され難（抜け難）くできる。なお、舌片２１が１つの舌片で構成されていてもよい。
切り込み２３によって形成される舌片２１（２つの分割舌片２１ａ）と係合突部１９との係合の深さは、端面板紙１３に対する第１の横フラップ２０の傾斜度合いが大きくなるに従って（端面板紙１３と第１の横フラップ２０とがなす角度が小さくなるに従って）深くなる。
【００４２】
係合突部１９と舌片２１（２つの分割舌片２１ａ）との係合により、コーナー板紙１７の第２の半部１７ｂの側辺１７ｄと、端面板紙１３の上辺との接合が達成される。
このように、前側の２つのコーナー板紙１７を折り畳みながら端面板紙１３を引き起こし、かつ、係合突部１９を舌片２１に係合させることにより、前側の２つの直角部３ａが形成される。
【００４３】
図１０に示す状態から、店員は、後面板紙１４を引き起こしながら、コーナー板紙１７を折り線Ｌ１３に沿って内向きに（第１の半部１７ａおよび第２の半部１７ｂの内面同士が対向するように）折り畳む。そして、係合突部１９が舌片２１に係合させる。これにより、後側の２つの直角部３ｂ（図１参照）が形成される。
前側の２つの直角部３ａおよび後側の２つの直角部３ｂが形成されることにより、図１１に示すように、包装用箱１が箱状に組み立てられ、本体部３が形成される。この状態では、前面板紙１２、左右一対の端面板紙１３、および後面板紙１４によって、本体部３の上面に矩形の上部開口３ｃが形成される。
【００４４】
次いで、蓋体４を形成する先端フラップ２８の各端部、左右一対の第２の横フラップ２７、左右一対の第３の横フラップ２９を、折り線Ｌ１９（図２参照）に沿って引き起こすことにより、２つの角部４ａが形成される。これにより、図１２に示すように蓋体４が形成される。
この状態で、包装用箱１が箱状に組み立てられた後、小売店の店員は、包装用箱１（本体部３）の内部に食品を収容する。
【００４５】
次いで、蓋体４による上部開口３ｃの閉塞について説明する。小売店の店員は、蓋体４を、後面板紙１４の上辺（図２等に示す折り線Ｌ１７）に沿うヒンジ回りに手前側に回動させる。蓋体４による上部開口３ｃの閉塞に先立って、図１２に示すように、各第１の横フラップ２０の内面が外側に向けて折られている。
これにより、第１の横フラップ２０の内面および端面板紙１３の内面（図２に示す紙面手前側の面）が、第２の横フラップ２７の内側に収容されるように、蓋体４によって上部開口３ｃが閉塞される。そして、この閉塞状態において、図１２に示すように、先端フラップ２８の係合舌片３３が、包装用箱１の前面１ｂに設けられた挿し込み口１６に挿し込まれて挿し込み口１６に係合することにより、包装用箱１が封緘される。図１に、封緘状態の包装用箱１を示す。
【００４６】
封緘状態の包装用箱１を開く場合には、係合舌片３３を挿し込み口１６から外し、蓋体４をヒンジ回りに奥側に向けて回動させて、上部開口３ｃを開放し、図１１に示す状態にする。
図１１に示す状態において、包装用箱１から食品（たとえば洋菓子）を取り出してもよいが、図１３に示すように、包装用箱１を平板状に広げる（フルオープン。平板状態）ことにより、平板状態にある包装用箱１の上に食品を載置することも可能である。
【００４７】
具体的には、図１１に示す状態から、舌片２１と係合突部１９との係合を外す。そして、前面板紙１２を手前側に倒し、後面板紙１４および蓋体４を奥側に倒し、かつ左右一対の端面板紙１３を左右に倒すことにより、蓋体４の天面板紙２６、底面板紙１１、前面板紙１２、端面板紙１３、および後面板紙１４を、一枚の板状に広げる。そして、左右一対の折り線Ｌ１８に沿って、その外側部分を引きちぎることにより、蓋体４の角部４ａを潰す。これにより、図１３に示すように、蓋体４の全部を、底面板紙１１、前面板紙１２、端面板紙１３、および後面板紙１４と同一の板状に設けることができる。
【００４８】
以上によりこの実施形態によれば、コーナー板紙１７に、折り線として用いないコーナー罫線４１が設けられている。コーナー罫線４１は、折り線Ｌ２，Ｌ３（第１の折り線）に平行に延びる縦コーナー罫線４２と、折り線Ｌ１，Ｌ４（第２の折り線）に平行に延びる横コーナー罫線４３とを含む。そのため、端面板紙１３およびコーナー板紙１７を底面板紙１１に対して折り畳んだ際にコーナー板紙１７に生じる歪を、縦コーナー罫線４２が吸収する。そのため、端面板紙１３およびコーナー板紙１７を底面板紙１１に対して折り畳んだ状態で、コーナー板紙１７に膨らみ（変形）が発生することを抑制または防止できる。また、前面板紙１２およびコーナー板紙１７を端面板紙１３に折り重ねた際にコーナー板紙１７に生じる歪、および底面板紙１１、前面板紙１２および端面板紙１３を、後面板紙１４に折り重ねた際にコーナー板紙１７に生じる歪を、横コーナー罫線４３が吸収する。そのため、前面板紙１２およびコーナー板紙１７を端面板紙１３に折り重ねた状態、ならびに、底面板紙１１、前面板紙１２および端面板紙１３を後面板紙１４に折り重ねた状態において、コーナー板紙１７に膨らみ（変形）が発生することを抑制または防止できる。これにより、２回以上折り畳まれた折り畳み状態の包装用箱１を好適に設けることができる。
【００４９】
そして、この折り畳み状態から、端面板紙１３が起立することにより包装用箱が箱状に組み立てられる。これにより、コーナー貼りの数を抑制しながら、箱状に簡単に組み立て可能である。
また、この実施形態では、縦コーナー罫線４２が第２の半部１７ｂ（コーナー板紙１７）に設けられており、横コーナー罫線４３が第１の半部１７ａに設けられている。そのため、端面板紙１３およびコーナー板紙１７を底面板紙１１に対して折り畳んだ際に第１の半部１７ａに生じる歪を、縦コーナー罫線４２が吸収する。そして、前面板紙１２およびコーナー板紙１７を端面板紙１３に折り重ねた際に第１の半部１７ａに生じる歪、および底面板紙１１、前面板紙１２および端面板紙１３を、後面板紙１４に折り重ねた際に第１の半部１７ａに生じる歪を、横コーナー罫線４３が吸収する。
【００５０】
また、この実施形態では、横コーナー罫線４３が互いに間隔を空けて複数（この実施形態では２つ）設けられている。これにより、前面板紙１２およびコーナー板紙１７を端面板紙１３に折り重ねた状態、ならびに、底面板紙１１、前面板紙１２および端面板紙１３を後面板紙１４に折り重ねた状態において、コーナー板紙１７に膨らみ（変形）が発生することを、より一層抑制または防止できる。
【００５１】
また、この実施形態では、端面板紙１３に、折り線として用いない側面罫線４６が設けられている。側面罫線４６は、折り線Ｌ１，Ｌ４（第２の折り線）に平行に延びる、直線状の第１の側面罫線４７と、折り線Ｌ２，Ｌ３（第１の折り線）に対して鋭角（約４５°）をなす方向に延びる第２の側面罫線４８と、折り線Ｌ２，Ｌ３（第１の折り線）に対して鋭角（約４５°）をなす方向に延びる第３の側面罫線４９とを含む。そのため、端面板紙１３およびコーナー板紙１７を底面板紙１１に対して折り畳んだ際に端面板紙１３に生じる歪を、第２および第３の側面罫線４８，４９が吸収する。そのため、端面板紙１３およびコーナー板紙１７を底面板紙１１に対して折り畳んだ状態で、端面板紙１３に膨らみ（変形）が発生することを抑制または防止できる。また、前面板紙１２およびコーナー板紙１７を端面板紙１３に折り重ねた際に端面板紙１３に生じる歪、および、底面板紙１１、前面板紙１２および端面板紙１３を、後面板紙１４に折り重ねた際に端面板紙１３に生じる歪を、第１、第２および第３の側面罫線４７，４８，４９が吸収する（主として、第１の側面罫線４７が吸収する）。そのため、前面板紙１２およびコーナー板紙１７を端面板紙１３に折り重ねた状態、ならびに底面板紙１１、前面板紙１２および端面板紙１３を後面板紙１４に折り重ねた状態において、端面板紙１３に膨らみ（変形）が発生することを抑制または防止できる。これにより、２回以上折り畳まれた折り畳み状態の包装用箱１を、より一層好適に設けることができる。
【００５２】
また、前述のように、端面板紙１３に対する第１の横フラップ２０の傾斜度合いが大きくなるに従って（端面板紙１３と第１の横フラップ２０とがなす角度が小さくなるに従って）、係合突部１９と舌片２１とが深く係合する（より強固に係合する）。蓋体４によって上部開口３ｃを閉塞した閉塞状態では、各第１の横フラップ２０が、蓋体４の第２の横フラップ２７によって、内側に向けて（端面板紙１３の外面に向けて）押圧される。これにより、蓋体４による閉塞状態において、係合突部１９と舌片２１との係合がより強固に保つことができる。
【００５３】
また、前述の実施形態では、各コーナー板紙１７において、横コーナー罫線４３を複数設け、かつ縦コーナー罫線４２を１つのみ設けるとして説明した。しかし、各コーナー板紙１７において、横コーナー罫線４３を１つのみ設けるようにしてもよいし、縦コーナー罫線４２を複数設けるようにしてもよい。
また、側面罫線４６を、端面板紙１３（第１の側面板）だけでなく、前面板紙１２（第２の側面板）や前面板紙１２（第２の側面板）に設けてもよい。また、端面板紙１３等の側面板に側面罫線４６を設けないようにしてもよい。
【００５４】
また、側面罫線４６が、第２の側面罫線４８および／または第３の側面罫線４９に代えて（または併せて）、折り線Ｌ２，Ｌ３（第１の折り線）に平行に延びる罫線を備えていてもよい。
また、各コーナー板紙１７にコーナー罫線４１が設けられているとして説明したが、手前側および奥側の一方側の一対のコーナー板紙１７のみに、コーナー罫線４１が設けられていてもよい。
【００５５】
また、歪吸収用の罫線である歪吸収用の罫線を、端面板紙１３（第１の側面板）やコーナー板紙１７だけでなく、前面板紙１２（第２の側面板）や後面板紙１４（第２の側面板）に設けるようにしてもよい。
また、蓋体４が、後面板紙１４ではなく、前面板紙１２に連なって設けられていてもよいし、端面板紙１３に連なって設けられていてもよい。
【００５６】
また、蓋体４が、廃止されていてもよい。この場合、包装用箱１が、上面に開口を有する箱状になる。この場合、包装用箱１からコーナー貼りを廃止することができる。
また、前述の実施形態では、左右一対の端面板紙１３を、先に折り畳まれる第１の側面板とし、前面板紙１２および後面板紙１４を、後で折り畳まれる第２の側面板として説明したが、左右一対の端面板紙１３を第２の側面板とし、前面板紙１２および後面板紙１４を第１の側面板としてもよい。
【００５７】
また、底面板紙１１、前面板紙１２、左右一対の端面板紙１３、後面板紙１４等を構成する板ブランク（板紙ブランク２）板を、紙板を用いて形成するとして説明したが、この板ブランクが、樹脂板（より具体的には、たとえば塩ビ、ポリエチレン（ＰＥ）、ポリプロピレン（ＰＰ）、ポリエチレンテフタレート（ＰＥＴ）等を用いて形成された透明樹脂板）、段ボール原紙、雑板紙等、板紙以外の板を用いて形成されていてもよい。
【００５８】
また、包装用箱１に収容する食品として、洋菓子だけでなく和菓子やスナック菓子等の他の菓子等を例に挙げることもできる。菓子に限られず他の食品を包装用箱１に収容することができる。
加熱調理済みの食品を包装用箱１に収容することも可能である。加熱調理済みの食品は、水や油等の液体が漏出するおそれがある。包装用箱１の本体部３が糊付け加工を用いることなく形成されているので、本体部３に液体が接しても、それによって糊付け部が離脱するようなことがない。したがって、包装用箱１によって加熱調理済みの食品を収容しても、加熱調理済みの食品から漏出する液体によって包装用箱１が解体するおそれがない。
【００５９】
但し、包装用箱１の材質が紙である場合には、加熱調理済みの食品から漏出する液体によって包装用箱１の各板材が変形するおそれがある。そのため、包装用箱１を、加熱調理済みの食品の収容のために用いる場合には、包装用箱１の内面、すなわち図２に示す紙面手前側の面に撥水処理や防水処理を施しておくことが望ましい。撥水処理や防水処理は、公知の構成である。一例を挙げると、図２に示す紙面手前側の面に、耐水性フィルムを貼着させる方式が知られている。加熱調理済みの食品として、肉まん、たこ焼き、焼売、やきそば、餃子、お好み焼き、クレープ、幕の内弁当等の弁当、おにぎり等を例示することができる。
【００６０】
また、包装用箱１によって加熱調理済みの食品を収容する場合には、包装用箱１外への液漏れを防ぐべき、切り込み１８は廃止することが望ましい。
また、蓋体４が廃止されている場合には、収容箱（包装用箱１）は、たこ焼き、焼売、やきそば、餃子、お好み焼き、クレープ等の加工済み食品を収容する収容皿として機能する。この場合、収容箱（包装用箱１）によって、固体状の食品でなく、液体状の食品を収容してもよい。すなわち、収容箱（包装用箱１）によって飲料を収容するようにしてもよい。この場合、収容箱（包装用箱１）を飲料用カップ代わりに用いることもできる。
【００６１】
また、包装用箱１は、食品を収容するものに限られず、食品以外の物品を収容するものであってもよい。
その他、特許請求の範囲に記載された事項の範囲で種々の設計変更を施すことが可能で
ある。
この明細書および添付図面からは、特許請求の範囲に記載した特徴以外にも、以下のような特徴が抽出され得る。これらの特徴は、課題を解決するための手段の項に記載した特徴と任意に組み合わせ可能である。
【００６２】
Ａ１．所定の形状の板ブランクを折り曲げられて折り畳み状態に形成され、その折り畳み状態から手で箱状に組み立て可能な収容箱であって、
矩形状の底面板と、
前記底面板の第１の側辺に、第１の折り線を介して連なる第１の側面板と、
前記底面板における前記第１の側辺に隣り合う第２の側辺に、第２の折り線を介して連なる第２の側面板と、
前記第１の側面板と前記第２の側面板との双方に連なり２つに折り畳み可能に設けられたコーナー板と、
前記第１の側面板の側辺に第４の折り線を介して連なる横フラップとを含み、
前記コーナー板が、前記第１の側面板に連なる第１の半部と、前記第２の側面板に連なり、かつ第３の折り線を介して前記第１の半部に連なる第２の半部とを含み、
前記収容箱が、前記第２の半部の側辺に設けられた係合突部をさらに含み、
前記第１の側面板が前記底面板に折り重なるように前記第１の側面板および前記コーナー板が前記第１の折り線に沿って折り畳まれ、かつ折り畳まれている前記第１の側面板に前記コーナー板および前記第２の側面板が折り重なるように前記コーナー板および前記第２の側面板が前記第２の折り線に沿って折り畳まれた状態である折り畳み状態から、前記第１の側面板を起立させ、前記コーナー板を前記第３の折り線に沿って内面同士が対向するように２つに折ることにより前記収容箱に角部が形成されて、開口を有する箱状の組み立て状態が形成され、この状態で、前記第４の折り線の周囲に形成された係合凹所に前記係合突部を外側から挿し入れて前記係合突部を前記係合凹所に係合させることにより、前記第２の半部の側辺と前記第１の側面板の側辺とが接合される、収容箱を提供する。
【００６３】
Ａ１に記載の構成によれば、コーナー板の側辺に係合突部を設けると共にコーナー板が２つに折り畳まれ、第１の側面板と横フラップとの境界付近に設けられた係合凹所に係合突部を外側から挿し入れる。そして、係合突部を係合凹所に係合させることにより、収容箱に角部（直角部）を簡単かつ良好に設けることができる。
Ａ２．  前記第２の側面板の側辺に第５の折り線を介して蓋体が連なっており、
前記横フラップおよび前記第１の側面板が互いに折り畳まれた状態で、前記第２の側面板に近づくように、前記第５の折り線まわりに前記蓋体を回動させることにより、前記横フラップの外面を覆うように、前記蓋体によって前記開口を閉塞する、請求項Ａ１に記載の収容箱である。
【００６４】
Ａ２に記載の構成によれば、第１の側面板に対する横フラップの傾斜度合いが大きくなるに従って（第１の側面板と横フラップとがなす角度が小さくなるに従って）、係合突部と係合凹所とが深く係合する（より強固に係合する）。蓋体によって開口を閉塞した閉塞状態では、横フラップが、蓋体によって内側に向けて（第１の側面板の外面に向けて）押圧される。これにより、蓋体による閉塞状態において、係合突部と係合凹所との係合がより強固に保つことができる。
【符号の説明】
【００６５】
１      ：包装用箱（収容箱）
２      ：板紙ブランク（板ブランク）
３ｃ    ：上部開口（開口）
１１    ：底面板紙（底面板）
１１ａ  ：前側辺（第２の側辺）
１１ｂ  ：左側辺（第１の側辺）
１１ｃ  ：右側辺（第１の側辺）
１１ｄ  ：後側辺（第２の側辺）
１２    ：前面板紙（第２の側面板）
１３    ：端面板紙（第１の側面板）
１３ａ  ：側辺（第１の側面板の側辺）
１４    ：後面板紙（第２の側面板）
１４ａ  ：上辺（第２の側面板の側辺）
１７    ：コーナー板紙
１７ａ  ：第１の半部
１７ｂ  ：第２の半部
１７ｂａ：側辺
１９    ：係合突部
２０    ：第１の横フラップ（横フラップ）
４１    ：コーナー罫線
４２    ：横コーナー罫線（第１のコーナー罫線）
４３    ：縦コーナー罫線（第２のコーナー罫線）
４６    ：側面罫線
４７    ：第１の側面罫線
４８    ：第２の側面罫線
４９    ：第３の側面罫線
Ｌ１    ：折り線（第２の折り線）
Ｌ２    ：折り線（第１の折り線）
Ｌ３    ：折り線（第１の折り線）
Ｌ４    ：折り線（第２の折り線）
Ｌ１３  ：折り線（第３の折り線）
Ｌ１４  ：折り線（第４の折り線）
Ｌ１５  ：折り線（第５の折り線）
【図１】
2020083332.tif 000003
【図２】
2020083332.tif 000004
【図３】
2020083332.tif 000005
【図４】
2020083332.tif 000006
【図５】
2020083332.tif 000007
【図６】
2020083332.tif 000008
【図７】
2020083332.tif 000009
【図８】
2020083332.tif 000010
【図９】
2020083332.tif 000011
【図１０】
2020083332.tif 000012
【図１１】
2020083332.tif 000013
【図１２】
2020083332.tif 000014
【図１３】
2020083332.tif 000015